(57)【要約】      （修正有）【課題】複数回答の同時採点を可能として記述式回答と選択式回答を可能とするとともに回答用紙の形式を制限することなく大量採点することのできる答案採点処理装置およびその処理方法並び処理プログラムを提供。【解決手段】イメージスキャナの読み取り識別情報を付した答案画像データを採点処理対象として、予め登録した分割位置情報に基き解答欄毎に答案画像データを切断して分割答案画像データを生成する分割プログラムと、前記切断答案画像データにある回答画像を認識する認識プログラムと、認識ファイルと正解ファイルとから認識データが正解に該当するデータとそれ以外のデータの点数情報を各データに付加する採点抽出プログラムと、解答欄毎の抽出ファイルを識別情報ごとに集めて識別情報ごとの採点合計を算出する集計プログラムと、集計プログラムに集計された集計ファイルを識別情報と共にディスプレイに表示させる出力手段とを備える。【選択図】図１
2006154316.tif 000002
【特許請求の範囲】
【請求項１】
イメージスキャナの読み取り識別情報を付した答案画像データを採点処理対象として、前記答案画像データの持つ解答情報を認識して採点する答案採点処理装置において、
予め登録した分割位置情報に基き解答欄毎に答案画像データを切断して分割答案画像データを生成する分割プログラムと、
規定の認識手段に従って前記切断答案画像データにある回答画像を認識する認識プログラムと、
認識ファイルと正解ファイルとから認識データが正解に該当するデータとそれ以外のデータをキャラクタごとに抽出して点数情報を各データに付加する採点抽出プログラムと、
解答欄毎の抽出ファイルを識別情報ごとに集めて識別情報ごとの採点合計を算出する集計プログラムと、
集計プログラムに集計された集計ファイルを識別情報と共にディスプレイに表示させる出力手段とを備えることを特徴とする答案採点処理装置。
【請求項２】
抽出ファイルは、抽出情報と切断答案画像データとを出力手段を介してディスプレイに表示させると共に修正指示情報が入力装置から入力されると選択された切断答案画像データの抽出情報を変更して修正ファイルに記録することを特徴とする請求項１記載の答案採点処理装置。
【請求項３】
請求項２記載の答案採点処理装置は、さらに集計プログラムと修正手段と採点抽出プログラムと接続される接続手段を備え、前記接続手段は認証サーバと接続されて前記認証サーバがネットワークを介して外部端末と接続されることを特徴とする答案採点処理システム。
【請求項４】
イメージスキャナの読み取り識別情報を付した答案画像データを採点処理対象として、前記答案画像データの持つ解答情報を認識して採点する答案採点処理方法において、
予め登録した分割位置情報に基き解答欄毎に答案画像データを切断して分割答案画像データを生成する第１の処理過程と、
規定の認識手段に従って前記切断答案画像データにある回答画像を認識する第２の処理過程と、
認識ファイルと正解ファイルとから認識データが正解に該当するデータとそれ以外のデータをキャラクタごとに抽出して点数情報を各データに付加する第３の処理過程と、
解答欄毎の抽出ファイルを識別情報ごとに集めて識別情報ごとの採点合計を算出する第４の処理過程と、
集計プログラムに集計された集計ファイルを識別情報と共にディスプレイに表示させる第５の処理過程とを備えることを特徴とする答案採点処理方法。
【請求項５】
イメージスキャナの読み取り識別情報を付した答案画像データを採点処理対象として、前記答案画像データの持つ解答情報を認識して採点する答案採点処理プログラムにおいて、
予め登録した分割位置情報に基き解答欄毎に答案画像データを切断して分割答案画像データを生成する第１の処理と、
規定の認識手段に従って前記切断答案画像データにある回答画像を認識する第２の処理と、
認識ファイルと正解ファイルとから認識データが正解に該当するデータとそれ以外のデータをキャラクタごとに抽出して点数情報を各データに付加する第３の処理と、
解答欄毎の抽出ファイルを識別情報ごとに集めて識別情報ごとの採点合計を算出する第４の処理と、
集計プログラムに集計された集計ファイルを識別情報と共にディスプレイに表示させる第５の処理とを備えることを特徴とする答案採点処理プログラム。
【発明の詳細な説明】
【技術分野】
【０００１】
本発明は、イメージスキャナの読み取り識別情報を付した答案画像データを採点処理対象として、前記答案画像データの持つ解答情報を認識して採点する答案採点装置及びその方法と、その答案採点装置の実現に用いられるプログラムとに関し、特に答案画像データを分割して、解答ごとに採点して最後に集計することで採点の客観性に資する答案採点装置及びその方法と、その答案採点装置の実現に用いられるプログラムとに関する。
【背景技術】
【０００２】
本発明の発明者は、各種試験問題の採点にあたり手作業と多くの処理時間を要する採点作業を改善すべく、既に答案を点灯装置上に配置して正解と答案との比較を容易とすることで採点効率を高める採点装置を特許文献１で提案し実践してきている。
【０００３】
一方、大量に答案を採点する場合に、次々と採点すると答案用紙の一部に上下方向が逆の答案が混入することが有る。この場合に、答案用紙の上下を修正すると極めて採点の効率が低下する。こんために、答案用紙をスキャナした後に、答案イメージと正解文とを並列表示する発明が特許文献２に開示されている。特許文献２に記載の装置は、正解を記憶するとともに読み取り画像と正解画像を並列して表示するように構成される。
【０００４】
また、大量採点にあたり、受験者を絞り込むために記述式問題を採用して、選択式問題と記述式問題を混載して出題した場合には、採点する際に採点機の使用と人手による採点を併用するために採点処理が長時間化するという課題を有していた。そこで、採点対象者を絞る判定基準を設けて判定基準を満たしたもののみを採点するシステムが特許文献３で提案されている。
【０００５】
【特許文献１】特公平５−７４８２５号公報
【特許文献２】特開平９−６８９１９号公報
【特許文献３】特開２００４−２９１０７号公報
【発明の開示】
【発明が解決しようとする課題】
【０００６】
ところが、大量採点する場合に従来のマークシート方式を使用した場合には、採点形式が限定されてしまい、総ての問題に対する選択肢数を同一にする必要や、選択記号の統一化を図る必要があった。一方、特殊な回答形式にした場合は、解答用紙が専門化してしまい、解答用紙の単価上昇と使いまわしができない等の不都合が生じていた。
【０００７】
さらに、個人別のデータを基に採点する場合に、採点対象者の氏名が判明してしまい、採点者と採点対象者が顔見知りである場合に、採点の公平性に課題が生じていた。
【０００８】
特に、記述式の回答がある場合は、複数回答者の回答を比較することで、採点基準の相場が形成するため１回答のみの採点よりは、複数回答の同時採点の必要性が生じていた。
【０００９】
そこで、本発明の目的は、複数回答の同時採点を可能として記述式回答と選択式回答を可能とするとともに回答用紙の形式を制限することなく大量採点することのできる答案採点処理装置および答案採点処理方法並びに答案採点処理プログラムの提供にある。
【課題を解決するための手段】
【００１０】
以上の目的を達成するために本発明に係る答案採点処理装置は、イメージスキャナの読み取り識別情報を付した答案画像データを採点処理対象として、前記答案画像データの持つ解答情報を認識して採点する答案採点処理装置において、予め登録した分割位置情報に基き解答欄毎に答案画像データを切断して分割答案画像データを生成する分割プログラムと、規定の認識手段に従って前記切断答案画像データにある回答画像を認識する認識プログラムと、認識ファイルと正解ファイルとから認識データが正解に該当するデータとそれ以外のデータをキャラクタごとに抽出して点数情報を各データに付加する採点抽出プログラムと、解答欄毎の抽出ファイルを識別情報ごとに集めて識別情報ごとの採点合計を算出する集計プログラムと、集計プログラムに集計された集計ファイルを識別情報と共にディスプレイに表示させる出力手段とを備えることを特徴とする。
【００１１】
また、抽出ファイルは、抽出情報と切断答案画像データとを出力手段を介してディスプレイに表示させると共に修正指示情報が入力装置から入力されると選択された切断答案画像データの抽出情報を変更して修正ファイルに記録することを特徴とする。
【００１２】
さらに、答案採点処理装置は、さらに集計プログラムと修正手段と採点抽出プログラムと接続される接続手段を備え、前記接続手段は認証サーバと接続されて前記認証サーバがネットワークを介して外部端末と接続されることを特徴とする。
【００１３】
また、本発明に係る答案採点処理方法は、イメージスキャナの読み取り識別情報を付した答案画像データを採点処理対象として、前記答案画像データの持つ解答情報を認識して採点する答案採点処理方法において、予め登録した分割位置情報に基き解答欄毎に答案画像データを切断して分割答案画像データを生成する第１の処理過程と、規定の認識手段に従って前記切断答案画像データにある回答画像を認識する第２の処理過程と、認識ファイルと正解ファイルとから認識データが正解に該当するデータとそれ以外のデータをキャラクタごとに抽出して点数情報を各データに付加する第３の処理過程と、解答欄毎の抽出ファイルを識別情報ごとに集めて識別情報ごとの採点合計を算出する第４の処理過程と、集計プログラムに集計された集計ファイルを識別情報と共にディスプレイに表示させる第５の処理過程とを備えることを特徴とする。
【００１４】
さらに、本発明に係る答案採点処理プログラムは、イメージスキャナの読み取り識別情報を付した答案画像データを採点処理対象として、前記答案画像データの持つ解答情報を認識して採点する答案採点処理プログラムにおいて、予め登録した分割位置情報に基き解答欄毎に答案画像データを切断して分割答案画像データを生成する第１の処理と、規定の認識手段に従って前記切断答案画像データにある回答画像を認識する第２の処理と、認識ファイルと正解ファイルとから認識データが正解に該当するデータとそれ以外のデータをキャラクタごとに抽出して点数情報を各データに付加する第３の処理と、解答欄毎の抽出ファイルを識別情報ごとに集めて識別情報ごとの採点合計を算出する第４の処理と、集計プログラムに集計された集計ファイルを識別情報と共にディスプレイに表示させる第５の処理とを備えることを特徴とする。
【発明の効果】
【００１５】
本発明に係る答案採点処理装置を実施することにより、複数回答の同時採点を可能として記述式回答と選択式回答を可能とするとともに回答用紙の形式を制限することなく大量採点することができる。
【発明の実施の形態】
【００１６】
以下、実施の形態に従って本発明を詳細に説明する。
【００１７】
（第１実施の形態）
図１に、本発明の答案採点処理装置２の一実施例を図示する。図中、１は本発明を具備する答案採点処理装置２、４は答案採点処理装置２の備えるイメージスキャナ、５は答案採点処理装置２の備えるディスプレイ、２５は答案採点処理装置２の備えるキーボードやマウス等の入力装置である。
【００１８】
本発明の答案採点処理装置２は、入力手段６と、ＩＤファイル８と、入力ファイル１０と、分割プログラム１２と、分割ファイル１４と、認識プログラム１６と、キャラクタ辞書１８と、認識ファイル２０と、採点抽出プログラム２２と、正解ファイル２４と、抽出ファイル２６と、集計プログラム２８と、集計ファイル３０と、出力手段３２とを備える。
【００１９】
この入力手段６は、イメージスキャナ４の読み取る答案用紙画像を入力する。ＩＤファイル８は入力装置２５と接続され予め答案者のＩＤ情報が予め入力される。入力ファイル１０は、入力手段６に入力された答案用紙画像を、このＩＤファイル８と対応するように、ＩＤファイル８の入力順に入力ファイル１０に格納される。
【００２０】
分割プログラム１２は、予め登録した分割位置情報に従って答案用紙画像を個別データに分割する。分割位置情報は、分割線の位置と距離情報であり、採点対象となる解答欄ごとに分割するように予め定められ入力装置２５から入力される。また、分割位置情報が記録された画像データをイメージスキャナ４で読込み、画像データとして予め登録されてもよい。分割プログラム１２は答案用紙画像を分割個別データに分割した際に、ＩＤ情報と問題番号情報を付加して分割個別データを分割ファイル１４に格納する。
【００２１】
認識プログラム１６は、規定の認識手法に従って、分割プログラム１２の分割した個別データの持つキャラクタを認識する。キャラクタ辞書１８は、認識プログラム１６の認識処理に必要となる辞書データを管理する。認識ファイル２０は、認識プログラム１６の認識結果とＩＤ情報と問題番号情報を付加して個別データとを格納する。
【００２２】
文字の認識アルゴリズムとして、活字文字であれば特徴抽出として、拡張セル特徴法や加重ヒストグラム法や外郭方向寄与度特徴法といったものが知られ、また識別処理としてシティブロック距離やユークリッド距離や線形識別関数や部分空間法やＫＮＮ法やベイズ識別法などが知られている。一方、手書き文字の識別であれば、パターンマッチング法やゾンデ法またストロークアナリシス法が知られている。認識プログラム１６は、これらの認識方法を使用して答案情報を認識する。
【００２３】
採点抽出プログラム２２は、問題毎に認識ファイル２０のデータからキャラクタ別に抽出する。例えば、問題１番の解答を「○」と解答した個別データを抽出し、「×」と解答した個別データ、「（空白）」と解答した個別データ、「？（それ以外の記号）」と解答した個別データとに抽出する。
【００２４】
ここで、予め入力装置２５による入力或いは、イメージスキャナ４により入力された正解データが正解ファイル２４に格納される。
【００２５】
そこで、採点抽出プログラム２２は、正解のデータに正解である旨の情報を記録し、その他の解答に正解である旨の情報を記録せずに抽出ファイル２６に格納する。例えば、上記例で「○」が正解である場合は、「○」と解答した個別データに正解情報を追加し、その他の「×」、「（空白）」、「？（それ以外の記号）」の個別データには正解である旨の記録をすることなく、抽出ファイル２６に格納する。
【００２６】
集計プログラム２８は、問題毎に記録された個別データをＩＤ番号ごとに総計点を算出するプログラムであり、算出された総計点は、ＩＤ番号ごとに集計ファイル３０に格納される。
【００２７】
出力手段３２は、この集計ファイル３０に格納されたデータをディスプレイ５に表示する手段である。
【００２８】
図２に、分割プログラム１２の実行する処理フローの一実施例、図３に認識プログラム１６の実行する処理フローの一実施例、図４に採点抽出プログラム２２の実行する処理フローの一実施例、図５に解答用紙の答案（ａ）と、答案採点（ｂ）のそれぞれ一実施例を図示する。
【００２９】
次に、これらの処理フローに従って、本発明の答案採点処理装置２の実行する処理について詳細に説明する。
【００３０】
最初に、図２の処理フローに従って、分割プログラム１２の実行する処理について説明する。
【００３１】
最初のステップで、分割プログラム１２は、イメージスキャナ４から分割位置情報と分割ファイルの問題番号情報と答案作成者の個別情報であるＩＤ情報とが入力装置２５から入力されてＩＤファイルに格納される（Ａ２）。
【００３２】
分割位置情報は、図５に示される解答用紙情報にさらに解答記載欄を識別するための図形情報または、位置座標から構成される。分割位置情報が図形情報である場合は、認識させるために読み込み用紙に予め図形で描かれる切断線を特定の太さの線で描画することで分割位置を認識させることができる。
【００３３】
一方、分割位置情報が位置座標の場合は、切り出し図形が長方形であれば、対角となる２点につき、解答用紙の左上を原点とし、データ読込み方向をｘ軸とし、垂直となる方向をｙ軸と定義して、それらの座標における切り出すべき位置を定義して入力することができる。
【００３４】
問題番号情報は、解答記載欄と対応するように命名されて互いに関連させて記録される。
【００３５】
ＩＤ情報は、後に読み込まれる解答用紙の入力順序に対応して同一順序で記録されることが望ましい。
【００３６】
次のステップで、イメージスキャナ４からＩＤ情報順に解答用紙が入力されて、入力手段６がＩＤ情報名を付した個別データを入力ファイル１０に格納する（Ａ４）。
【００３７】
続いて次のステップで、分割プログラム１２は、Ａ２工程で予め入力された分割位置情報に従って、個別データを分割個別データに分割する。図５（ａ）で示される解答４０のうち解答欄４２が、図５（ｂ）に示される分割個別データ５６となり、分割ファイル（Ａ６）に格納される。分割個別データは、ＩＤ番号と問題番号からなるファイル名が付されて格納されることでＩＤ情報と問題番号情報をファイル名上に兼ね備える。
【００３８】
次に図３のフローに従って、認識プログラム１６の実行する処理について説明する。
【００３９】
認識プログラム１６は、分割ファイル１４に分割個別データが格納されることで起動されると、図３のＢ２ステップに示されるように、分割個別データから、文字領域のイメージデータを四角形に切り出し、分割個別データ上の文字領域の位置を検出する（Ｂ２）。
【００４０】
続いて、次のステップで、規定の認識手法を使って、切り出した各文字領域の文字コードをキャラクタ辞書１８が利用して認識する（Ｂ４）。
【００４１】
さらに、次のステップで、認識結果となる分割個別データごとに、文字領域のイメージデータ位置と文字コードを対データとする認識情報を作成して、それを認識ファイル２０に格納して処理を終了する（Ｂ６）。
【００４２】
このようにして、認識ファイル２０には、認識プログラム１６によって作成された認識情報である文字領域のイメージデータ位置と、文字コードと、分割個別データが格納されることとなる。
【００４３】
次に、図４の処理フローに従って、採点抽出プログラム２２の実行する処理について説明する。
【００４４】
先ず、予め入力装置２５または、イメージスキャナ４より正解情報が正解ファイル２４にテキストデータとして格納される（Ｃ２）。
【００４５】
続いて、採点抽出プログラム２２は、認識ファイル２０に認識情報が格納されることで起動される。採点抽出プログラム２２は、認識情報を文字コード毎に分類する（Ｃ４）。すなわち、２択問題であれば、「○」、「×」、「白紙」、「その他」の４種類であり、選択肢の増加に伴い種類は増加する。
【００４６】
その後、採点抽出プログラム２２は、正解ファイル２４に記録された正解情報と認識情報の文字コードとが一致する認識情報に正解と点数情報を付加した採点情報を抽出ファイル２６に格納する。また、採点抽出プログラム２２は、正解ファイル２４に記録された正解情報と認識情報の文字コードとが一致しない認識情報に不正解情報を付加した採点情報を抽出ファイル２６に格納する。
【００４７】
その後、集計プログラム２８は、抽出ファイル２６に採点情報が格納されることで起動される。集計プログラム２８は、採点情報をＩＤ情報ごとに集計して各採点情報の点数を全て加算してＩＤ番号毎の点数を算出して採点データと合わせて集計ファイル３０に格納する。
【００４８】
出力手段３２は、集計ファイル３０に採点情報が格納されることで起動される。出力手段３２は、採点した分別個別データであるイメージデータを含む採点データをＩＤ毎に集計した点数と採点データとを表示させる。
【００４９】
本発明に係る採点装置を実施することで、ＩＤのみで機械によって採点されるため、採点対象者の氏名を知ることなく本装置が採点するため、採点の公平性を保つことが可能である。
【００５０】
また、回答用紙の形式を制限することなく大量採点することができる。
【００５１】
（第２実施の形態）
図６に、本発明の答案採点処理装置７０の一実施例を図示する。ここで、本発明の第一の実施の形態を示す図１で説明したものと同じものについては同一の記号で示してある。
【００５２】
図中抽出ファイル２６は出力手段３２と接続されて、抽出ファイルに格納される採点データは出力手段３２によってディスプレイ５に文字コード毎にイメージデータが区分されて表示される（図５（ｂ））。
【００５３】
この修正手段７２は、入力装置２５からの指示に従って、採点データの文字コード区分を変更する手段であり、変更された採点データを含めた総ての採点データが修正ファイル７４に格納される。
【００５４】
図７に、第１の実施の形態と異なる修正手段７２の実行する処理フローＤ２からＤ１６の一実施例を示す。ここで、本発明の第一の実施の形態で示された図４と異なる工程であるＤ８より示す。
【００５５】
先ず、出力手段３２は、抽出ファイル２６に採点データが格納されることで起動されると、採点データであって格納されたイメージデータを文字コード毎にディスプレイ５に表示する。表示されると、修正手段７２が起動されて、文字コードの修正を待ち受け状態となる（Ｄ８）。
【００５６】
ここで、操作者等により認識された文字コードと、イメージデータに差異があり、操作者の操作によって採点データを表示された文字コードから他の文字コードへ変更する旨の指示が入力装置２５から入力の有無を検出する（Ｄ１０）。ここで、変更の指示が入力されると、修正手段７２が採点データの文字コードを修正して修正ファイル７４に格納する（Ｄ１２）。
【００５７】
さらに、修正可能なようにイメージデータが掲示される回答の傾向等を採点者が把握することが可能であり、回答者内の回答傾向の把握が容易である。
【００５８】
一方、修正がなく予めディスプレイ５に表示される文字コード確定ボタン(図示せず）が選択される（Ｄ１４）と、修正がなく格納されていない採点データも修正ファイル７４に格納される（Ｄ１６）。
【００５９】
本発明に係る採点装置を実施することで、ＩＤのみで機械によって採点された採点結果に不備がある場合にも容易に変更や修正が可能となり、採点精度を高めることや採点の変更ができる。またその場合でも、ディスプレイに表示されるのは回答結果のみであるため、採点者は採点対象者の氏名を知ることなく採点できるため、採点の公平性を保つことが可能である。
【００６０】
（第３実施の形態）
図８に、本発明の答案採点処理装置７０の一実施例を図示する。ここで、本発明の第一及び第二の実施の形態を示す図１、６で説明したものと同じものについては同一の記号で示してある。
【００６１】
図８において、接続手段７６は答案採点処理装置７０の内部において採点抽出プログラム２２と集計プログラム２８と修正手段７２と電気的に接続される。一方、接続手段７６は答案採点処理装置７０の外部に設けられる認証サーバ８０を介してネットワーク８２と接続される。ネットワーク８２にはさらに、外部端末８４と接続される。
【００６２】
接続手段７６は、外部端末８４がネットワーク８２を介して認証サーバ８０で認証された信号が接続手段７６に伝達される。このため、外部端末８４から採点抽出プログラム２２と集計プログラム２８と修正手段７２とを制御することができる。
【００６３】
認証サーバ８０は、答案採点処理装置７０がネットワーク８２と接続して外部からの信号を受けるためのサーバであり、予め登録されたＩＤとパスワードで認証された信号のみ通過を認めるサーバである。
【００６４】
外部端末８４は、ネットワーク８２と接続できる端末であればパーソナルコンピュータやＰＤＡまた携帯電話等いかなる端末でもよい。
【００６５】
図９に、第１の実施の形態と異なる修正手段７２の実行する処理フローＥ２からＥ１６の一実施例を示す。ここで、本発明の第一及び第二の実施の形態で示された図４、７と異なる工程であるＥ８より示す。
【００６６】
先ず、外部端末８４は、認証サーバ８０に対して接続要求信号を送信するとＩＤとパスワード要求信号が返信される。このＩＤとパスワード要求信号に対して、ＩＤとパスワードを返信して、予め認証サーバ８０の内蔵記憶装置に登録されるＩＤとパスワードと比較して一致する場合は外部端末８４の接続信号の通過を許可し、一致しない場合は接続を認めない。そこで、接続信号の通過を許可された場合に、外部端末８４と採点抽出プログラム２２とが接続されて、外部端末８４のディスプレイに抽出ファイルへ格納されたイメージデータが文字コード毎に表示される。すなわち、外部端末８４のディスプレイに図５（ｂ）のように表示され、いずれの解答が何れのキャラクタとして認識されているかが外部端末８４のディスプレイに表示される。この表示はさらに、解答イメージと分類されているキャラクタが一致しない場合に修正できるように修正信号を修正手段７２が待ち受けるよう設定される（Ｅ８）。
【００６７】
具体的には、図５（ｂ）のような待ち受け画面が表示される（Ｅ１０）。
【００６８】
解答イメージと分類されているキャラクタが一致しない場合には例えばマウスでその誤った位置に配置されるイメージをマウス等によるドラッグで誤ったキャラクタ領域から正しいキャラクタ領域に移動される（Ｅ１２）。移動されたイメージの情報は、修正ファイル７４に格納される。
【００６９】
一方、修正がなく予めディスプレイ５に表示される文字コード確定ボタン(図示せず）が選択される（Ｅ１４）と、修正がなく格納されていない採点データも修正ファイル７４に格納される（Ｅ１６）。
【００７０】
本発明に係る採点装置を実施することで、ＩＤのみで機械によって採点された採点結果に不備がある場合にも容易に変更や修正がネットワーク経由で外部端末から可能となり、採点者が時間や場所に捕らわれることなく採点精度を高めることや採点の変更ができる。またその場合でも、ディスプレイに表示されるのは回答結果のみであるため、採点者は採点対象者の氏名を知ることなく採点できるため、採点の公平性を保つことが可能である。
【産業上の利用可能性】
【００７１】
本発明に係る答案採点処理装置は、イメージスキャナの読み取り識別情報を付した答案画像データを採点処理対象として、前記答案画像データの持つ解答情報を認識して採点する答案採点処理装置において、予め登録した分割位置情報に基き解答欄毎に答案画像データを切断して分割答案画像データを生成する分割プログラムと、規定の認識手段に従って前記切断答案画像データにある回答画像を認識する認識プログラムと、認識ファイルと正解ファイルとから認識データが正解に該当するデータとそれ以外のデータをキャラクタごとに抽出して点数情報を各データに付加する採点抽出プログラムと、解答欄毎の抽出ファイルを識別情報ごとに集めて識別情報ごとの採点合計を算出する集計プログラムと、集計プログラムに集計された集計ファイルを識別情報と共にディスプレイに表示させる出力手段とを備えることで、特別な解答用紙を必要とせずに採点が自動化可能であるとともに、必要に応じて採点の変更が可能となり、また大量採点ができると共に、採点者の時間や採点場所を制限することが無い。このため、国公立の学校や私立学校並びに学習塾や各種学校などあらゆる分野の採点の自動化や効率化を促進することができる。
【図面の簡単な説明】
【００７２】
【図１】本発明の答案採点処理装置２の一実施例のブロックダイヤグラムを示す。
【図２】本発明の答案採点処理装置２の一実施例である分割プログラム１２の実行する処理フローのフローチャートを示す。
【図３】本発明の答案採点処理装置２の一実施例である認識プログラム１６の実行する処理フローのフローチャートを示す。
【図４】本発明の答案採点処理装置２の一実施例である採点抽出プログラム２２の実行する処理フローのフローチャートである。
【図５】本発明の答案採点処理装置２の解答用紙の答案（ａ）と、答案採点（ｂ）のそれぞれ一実施例の構成図である。
【図６】本発明の答案採点処理装置７０の第二の実施例の構成図である。
【図７】本発明の答案採点処理装置の第二の実施の形態の処理フローのフローチャートである。
【図８】本発明の答案採点処理装置７０の第三の実施例の構成図である。
【図９】本発明の答案採点処理装置の第三の実施の形態の処理フローのフローチャートである。
【符号の説明】
【００７３】
２  答案採点処理装置
４  イメージスキャナ
５  ディスプレイ
６  入力手段
８  ＩＤファイル
１０  入力ファイル
１２  分割プログラム
１４  分割ファイル
１６  認識プログラム
１８  キャラクタ辞書
２０  認識ファイル
２２  採点抽出プログラム
２４  正解ファイル
２６  抽出ファイル
２８  集計プログラム
３０  集計ファイル
３２  出力手段
２５  入力装置
４０  解答
４２  解答欄
５６  分割個別データ
７０  答案採点処理装置
７２  修正手段
７６  接続手段
８０  認証サーバ
８２  ネットワーク
８４  外部端末
【図１】
2006154316.tif 000003
【図２】
2006154316.tif 000004
【図３】
2006154316.tif 000005
【図４】
2006154316.tif 000006
【図５】
2006154316.tif 000007
【図６】
2006154316.tif 000008
【図７】
2006154316.tif 000009
【図８】
2006154316.tif 000010
【図９】
2006154316.tif 000011